(57)【特許請求の範囲】
【請求項１】
（ａ）複数の別個のシート位置から選択された１つに乗客シートを調整するように動作可能な複数のシートアクチュエータと、
（ｂ）前記複数の別個のシート位置に対応する複数のタッチ反応部をその上に有するタッチセンサー式制御インターフェイスと、を備え、
（ｃ）前記制御インターフェイスは、前記複数のシートアクチュエータと通信すると共に、前記乗客シートに着座する乗客による使用のために、前記航空機乗客シートに近接して位置しており、乗客によるタッチ選択位置に応答して、信号を前記複数のシートアクチュエータに出力し、これによって、前記複数の別個のシート位置から選択された１つに前記航空機乗客シートの位置を調整するように構成されており、
前記複数のシートアクチュエータのうちの各シートアクチュエータは、前記乗客シートの位置に対応する制御インターフェイスに、位置表示値を出力し、前記制御インターフェイスは、前記各アクチュエータの前記位置表示値の範囲を計算し、前記位置表示値の範囲を複数の異なるサブレンジに分割し、前記各サブレンジが前記別個のシート位置の１つに対応していることを特徴とする航空機乗客シート位置制御装置。
【請求項２】
前記制御インターフェイスは、前記複数の別個のシート位置から選択された１つの表示イメージを表示するディスプレイスクリーンを含むことを特徴とする請求項１に記載の航空機乗客シート位置制御装置。
【請求項３】
前記アクチュエータが前記複数の異なるサブレンジのうちのサブレンジ内の位置表示値を出力するとき、前記ディスプレイスクリーンは、該サブレンジに対応する前記複数の別個のシート位置から選択された１つの前記表示イメージを表示することを特徴とする請求項２に記載の航空機乗客シート位置制御装置。
【請求項４】
前記乗客シートは、背もたれ部、レッグレスト部及びアームレスト部を備え、前記複数のアクチュエータのうちの少なくとも１つのアクチュエータが、前記背もたれ部、前記レッグレスト部及び前記アームレスト部のそれぞれの位置を調整することを特徴とする請求項３に記載の航空機乗客シート位置制御装置。
【請求項５】
前記タッチセンサー式制御インターフェイスは、乗客利便機能に対応する複数のタッチ反応性の記号をさらに含むことを特徴とする請求項１に記載の航空機乗客シート位置制御装置。
【請求項６】
前記乗客利便機能は、メディアコントロール、気温コントロール、通信コントロール、又は、その組み合わせからなる群から選択されることを特徴とする請求項５に記載の航空機乗客シート位置制御装置。
【請求項７】
請求項１に記載の航空機乗客シート位置制御装置を校正する方法であって、
（ａ）乗客シートを第１位置に調整するステップと、
（ｂ）前記アクチュエータによる第１位置表示値の出力を記録するステップと、
（ｃ）前記乗客シートを第２位置に調整するステップと、
（ｄ）前記アクチュエータによる第２位置表示値の出力を記録するステップと、
（ｅ）前記第１及び第２位置表示値の間の範囲を計算するステップと、
（ｆ）前記範囲を複数のサブレンジに分割するステップであって、前記サブレンジの各々が複数のシート位置のうちの別個のシート位置に対応している、ステップと、
を含むことを特徴とする方法。
【請求項８】
前記複数の別個のシート位置に対応する複数のタッチ反応部をその上に有するタッチ反応式制御インターフェイスを提供するステップをさらに含んでおり、前記シートアクチュエータは、タッチ選択位置に応答して前記シートアクチュエータに信号を出力し、これによって、前記複数の別個のシート位置から選択された１つに、前記航空機シートの位置を調整するように構成されていることを特徴とする請求項７に記載の方法。
【発明の詳細な説明】
【技術分野】
【０００１】
［関連出願］
本特許出願は、２００９年１月９日出願の米国仮出願、第６１／１４３，５８６号「乗客シートのためのタッチスクリーン制御インターフェイス」、及び、２００９年４月１５日出願の米国仮出願、第６１／１６９，５７５号「乗客シートのための制御インターフェイスの表示方法及び校正方法」の優先権を主張するものである。第６１／１４３，５８６号及び第６１／１６９，５７５号の内容は、その本文に援用する。
【０００２】
本発明は、一般的に、航空機の乗客シートを調整するための制御インターフェイスに関し、さらに具体的には、シートを調整及び表示するためのタッチスクリーン制御インターフェイス、並びに、制御インターフェイスを校正するための校正（キャリブレーション）方法に関する。
【背景技術】
【０００３】
航空機で見られるような乗客シートは、典型的には、直立位置とリクライニング位置との間で調整可能である。あるシートは、脚部及び足部にサポート（支持）を提供するように、外側に延在するフット（足部）サポートを有する。したがって、典型的な従来の乗客シートは、着座して、読書し、機内映画を鑑賞し、又は、睡眠をとることを望む乗客の好みに応じて、多くの形態をとることが可能である。典型的な乗客シートは、１以上のボタン又はスイッチを有し、乗客がシート部位の位置を調整することを可能にする。
【０００４】
従来式の薄膜スイッチ（機械式半球スイッチとも呼ばれる）が乗客シートに頻繁に使用されている。典型的なこのようなスイッチは、その機能を乗客に知らせるように、エンボス加工又は印刷した図形（グラフィック）を有する。この種のスイッチは、一般に、特定の機能専用であり、複数の調整利用可能であるシートでは、多数必要とされる。このような専用スイッチは、容易に再構成することができないと共に、それらの機能を示す図形を容易に変えることができない。したがって、乗客シートは、より多くの調整可能な部位を提供するように進化するにつれて、及び、マルチメディアエンターテインメント及び他のアメニティ（利便機能）が航空機の乗客キャビンに追加されるにつれて、従来式の専用の単機能スイッチはますます不満足のものとなる。
【発明の概要】
【発明が解決しようとする課題】
【０００５】
したがって、乗客シートを調整するための改善した制御インターフェイス、メディアデバイスの制御に関する改善した制御インターフェイス、及び、再度目的を持たすことに関して柔軟性を提供する改善した制御インターフェイスが必要である。航空機の乗客シートの形態を調整するための改善したインターフェイス制御が必要であり、乗客シートの形態を表示するための方法が必要とされ、並びに、正確な調整及び表示を行うための利便性が高い校正方法が必要である。
【課題を解決するための手段】
【０００６】
本発明のこれら及び他の目的は、航空機乗客シート位置制御装置を提供することにより、以下に開示された好適な実施形態において達成される。シート位置制御装置は、複数の別個のシート位置から選択された１つに乗客シートを調整するように動作可能な、複数のシートアクチュエータと、前記複数の別個のシート位置に対応する複数のタッチ反応部をその上に有するタッチセンサー式制御インターフェイスとを備える。前記制御インターフェイスは、前記複数のシートアクチュエータと通信すると共に、前記乗客シートに着座する乗客による使用のために、前記航空機乗客シートに近接して位置し、乗客によるタッチ選択位置に応答して信号を前記複数のシートアクチュエータに出力し、これによって、前記複数の別個のシート位置から選択された１つに前記航空機乗客シートの位置を調整するように構成されている。
【０００７】
本発明の別実施形態によれば、前記制御インターフェイスは、前記複数の別個のシート位置から選択された１つの表示イメージを表示するディスプレイスクリーンを含む。
【０００８】
本発明の別実施形態によれば、前記複数のシートアクチュエータのうちの各シートアクチュエータは、前記乗客シートの位置に対応する制御インターフェイスに、前記位置に対応する位置表示値を出力する。
【０００９】
本発明の別実施形態によれば、前記制御インターフェイスは、前記各アクチュエータの前記位置表示値の範囲を計算し、前記位置表示値の範囲を複数の異なるサブレンジに分割し、前記各サブレンジは前記別個のシート位置の１つに対応する。
【００１０】
本発明の別実施形態によれば、前記アクチュエータが、前記複数の異なるサブレンジのうちの一サブレンジ内の位置表示値を出力するとき、前記ディスプレイスクリーンは、該サブレンジに対応する前記複数の別個のシート位置から選択された１つの前記表示イメージを表示する。
【００１１】
本発明の別実施形態によれば、前記乗客シートは、背もたれ部、レッグレスト部及びアームレスト部を備え、前記複数のアクチュエータのうちの少なくとも１つのアクチュエータが、前記背もたれ部、前記レッグレスト部及び前記アームレスト部のそれぞれの位置を調整する。
【００１２】
本発明の別実施形態によれば、前記タッチセンサー式制御インターフェイスは、乗客利便機能に対応する複数のタッチ反応性の記号をさらに含む。
【００１３】
本発明の別実施形態によれば、前記乗客利便機能は、メディアコントロール、気温コントロール、通信コントロール、又は、その組み合わせからなる群から選択される。
【００１４】
本発明の別の好適な実施形態によれば、航空機乗客シート位置制御装置が提供される。当該装置は、乗客シートを好適なシート位置に調整するように動作可能な複数のシートアクチュエータと、前記乗客シートの部位に対応する複数のタッチ反応部をその上に有するタッチセンサー式制御インターフェイスと、を含む。前記制御インターフェイスは、前記複数のシートアクチュエータと通信すると共に、前記乗客シートに着座する乗客による使用のために、前記航空機乗客シートに近接して位置しており、乗客によるタッチで選択された位置に反応して、信号を前記複数のシートアクチュエータに出力し、それにより、前記好適なシート位置に前記乗客シート位置を調整するように構成されている。
【００１５】
本発明の別の好適な実施形態によれば、航空機乗客シートを調整するように動作可能なアクチュエータを校正する方法が提供される。当該方法は、乗客シートを第１位置に調整するステップと、前記アクチュエータによる第１位置表示値の出力を記録するステップと、前記乗客シートを第２位置に調整するステップと、前記アクチュエータによる第２位置表示値の出力を記録するステップと、前記第１及び第２位置表示値の間の範囲を計算するステップと、を含む。
【００１６】
本発明の別実施形態によれば、方法は、前記範囲を複数のサブレンジに分割するステップをさらに含み、前記各サブレンジは複数のシート位置うちの別個のシート位置に対応する。
【００１７】
本発明の別実施形態によれば、方法は、前記複数の別個のシート位置に対応する複数のタッチ反応部をその上に有するタッチ反応式制御インターフェイスを提供するステップをさらに含んでおり、前記シートアクチュエータは、タッチ選択位置に応答して前記シートアクチュエータに信号を出力して、これによって、前記複数の別個のシート位置から選択された１つに、前記航空機シートの位置を調整するように構成されている。
【００１８】
発明と見なされる対象は、以下の図面と共になされる以下の説明を参照して最も理解されよう。
【図面の簡単な説明】
【００１９】
【図１】本発明の１実施形態に従う、シート制御インターフェイスの斜視図。
【図２】図１のシート制御インターフェイスの斜視図。
【図３】図１のシート制御インターフェイスの側面図。
【図４】図１のシート制御インターフェイスの正面図。
【図５】図１のシート制御インターフェイスの平面図。
【図６】例示のディスプレイを提供する図１のシート制御インターフェイスの平面図。
【図７】タクシー離陸及び着陸形態におけるシート制御インターフェイス及びシートの概略図。
【図８】タクシー離陸及び着陸形態の下３０度におけるシート制御インターフェイス及びシートの概略図。
【図９】タクシー離陸及び着陸形態の下５０度におけるシート制御インターフェイス及びシートの概略図。
【図１０】完全なリクライニング形態におけるシート制御インターフェイス及びシートの概略図。
【図１１】シート制御インターフェイスの校正及び動作を示すフローチャートの概略図。
【図１２】シート部位の校正及び動作を示すフローチャートの概略図。
【発明を実施するための形態】
【００２０】
複数の図面において同一番号は同一の要素を示す。図面を参照すると、図１〜９は、本発明の少なくとも一実施形態に従う、制御インターフェイス１００を示す。図１に示すとおり、航空機のような乗り物において使用するための乗客シート１０は、乗り物の床に固定して搭載されたシートフレーム１２と、フレーム１２に取り付けられたシートバック（背もたれ部）１４及びシートボトム（座部）１６を含む乗客支持部と、シートボトム１６の側部近傍に位置する一対のアームレスト１８、２０と、レッグレスト２２と、を含む。図１では、シート１０は、タクシー（地上走行）、離陸及び着陸（ＴＴＬ）の形態において示され、シートバック１４は最も直立位置に配置され、シートボトム１６はシートバック１４に対して最も後方位置に配置され、且つ、レッグレスト２２は最下位置に配置される。シート１０がリクライニング形態の範囲に調整されると、シートバック１４がリクライニングし、シートボトム１６が前方に移動し、並びに、レッグレスト２２がリクライニングした乗客の上がった脚を収容するように水平位置に向かって持ち上がる。
【００２１】
図２、４及び５に示すとおり、制御インターフェイス１００は、乗客シート１０のアームレスト２０のような機内環境の表面にタッチスクリーンを搭載するためのハウジング１０４を含む。少なくとも一実施例では、制御インターフェイス１００の側面寸法は、短辺１０３で約３．７５インチ、及び、長辺１０５で約５．５インチである（図５参照）。図２〜５に示すとおり、ハウジング１０４は、衣類や荷物にぶつかることを最小限にし、流線型の外観を提供する傾斜エッジ（縁部）１０６を含む。図示した実施形態では、制御インターフェイス１００は、薄型（ｌｏｗ−ｐｒｏｆｉｌｅ）形態で取り付けられており、例えば、制御インターフェイス１００の上面がホスト表面から３／４インチ未満、隆起している。したがって、限られた空間が利用可能であるか、あるいは、乗客の快適性のために洗練され密集していない環境が求められるホスト表面上に、制御インターフェイス１００を取り付け可能である。１つの制御インターフェイス１００がアーム２０に取り付けられているように表されているが、複数のインターフェイスを、一方又は両方のアーム１８、２０、及び、当該開示の範囲内の他例にしたがって他表面に取り付けることができる。
【００２２】
図示した実施形態における制御インターフェイス１００は、タッチスクリーン乗客制御ユニット（ＴＳＰＣＵ）であり、調整が必要なときに、乗客が特定のシート部位の電動式調整を制御することを可能にする。制御インターフェイス１００は、選択及び調整の促進化において乗客をガイドするようにイメージを表示するタッチスクリーン１０２を含む。図６に示すとおり、タッチスクリーン１０２は、物理的な（現実の）シート１０の調整部位に対応する構成要素を有する表示シートイメージ２００を表す。物理的なシート１０の調整可能な部位に対応するイメージ構成要素は、タッチスクリーン１０２を使用することにより調整が利用可能であることを使用者に示すように、ハイライト又は特定色で表示されうる。
【００２３】
使用者からのタッチコマンドを受け取り、シート１０の部位の調整にこれらコマンドを関連付けるための方法の種々の例は、当該開示の範囲内にある。１例では、シートイメージ２００の任意の一部位をタッチすることは、対応する物理的なシート要素の電動式調整を促す。具体的には、この例において、レッグレストイメージ２２２へのタッチは、調整のための物理的なレッグレスト２２の選択を示し、タッチスクリーン１０２に沿って指をスライドさせることで、それに対応して、物理的なレッグレスト２２が電動式移動により調整される。タッチスクリーン１０２上のレッグレストイメージ２２２は、調整が起こると物理的なレッグレスト２２の位置を表示するようにスクリーンに亘って更新される。シートバックイメージ２１４、シートボトムイメージ２１６及びヘッドレストイメージ２２４をタッチすることにより、対応する物理的なシート部位を同様に調整可能である。物理的なシート１０の各部位の各調整で、シートイメージ２００が現在の物理的なシート形態を反映するように更新される。
【００２４】
制御インターフェイス１００は、シートイメージ２００の部位のタッチ又はタップ（軽くたたくこと）による選択時に、追加の制御レイヤーを表示するようにプログラムされうる。つまり、シートイメージの部位の選択時、拡大可能な選択部位の専用画面が表示されつと共に、追加の調整機能が利用可能である。
【００２５】
使用者からタッチコマンドを受け取り、これらコマンドをシート１０の部位の調整に関連付けるための方法の別例において、物理的なシート部位は、連動した調整において一緒に移動される。当該例において、使用者は、簡単に、指先でシートバックイメージ２１４をタッチし、所望の位置へタッチスクリーン１０２に沿って指先をスライドさせることにより、そのＴＴＬ形態からリクライニング形態へと、シート１０の全体形態を調整可能である。物理的なシートバック１４が所望の位置への電動式移動で調整されると、シートボトム１６及びレッグレスト２２がシートバック１４と連動して移動される。指がシートバックイメージ２１４をタッチし、タッチスクリーン１０２上の完全にリクライニングした位置にスライドするとき、シート１０が完全にリクライニングした形態に調整される。すなわち、シートバック１４が完全にリクライニングし、シートボトム１５がその最前位置に移動し、且つ、レッグレスト２２が完全に持ち上がる。物理的なシート１０が調整されると、シートイメージ２００が現在の物理的なシート１０の形態を反映するように更新される。
【００２６】
使用者からのタッチコマンドを受け取り、これらコマンドをシート１０の部位の調整に関連づけるための方法のさらなる別例において、制御インターフェイス１００は、シートイメージ２００の部位のタッチ又はタップによる選択時に、追加の制御レイヤーを表示するようにプログラムされる。このようなシートイメージ２００の部位の選択時、選択部位に関する専用画面又はメニューが表示されて、追加の調整機能が利用可能である。したがって、当該開示の範囲内の多くの方法の１により、乗客はシート１０を所望の形態に調整することができる。
【００２７】
図６の例において、タッチスクリーン１０２は、ユーザーに対する追加の利便性のために、プリセットボタンを表すイメージを表示する。直立シートとして視覚的に表されるプリセットボタン２２６のタッチは、物理的なシートがＴＴＬ形態をとるように促す。部分的に３０度リクライニングしたシートとして視覚的に表されるプリセットボタン２２８のタッチは、物理的なシート１０が部分的に３０度リクライニングした形態をとることを促し、これは乗客の好みに従って調整可能である。プリセットボタン２２８の使用により到達する物理的なシート部位の特定位置をプリセットする機会が乗客に与えられる。部分的に５０度リクライニングしたシートとして視覚的に表されるプリセットボタン２２９のタッチは、物理的なシート１０が部分的に５０度リクライニングした形態をとることを促し、これは乗客の好みに従って調整可能である。プリセットボタン２２９の使用により到達する物理的なシート部位の特定位置をプリセットする機会が乗客に与えられる。プリセットボタン２３０のタッチは、フラット又はベッドのような形態である、物理的なシートが最もリクライニングした形態をとることを促す。物理的なシート１０が調整されると、シートイメージ２００は、現在の物理的なシート形態を反映するように更新される。
【００２８】
図６の例において、マッサージ機能もまた乗客に利用可能である。プリセットボタン２３２のタッチは、波のように動くマッサージ機能を促し、乗客の背中をマッサージするように物理的なシートの後部のブラダー（空気袋）が膨張及び収縮する。プリセットボタン２３４は、振動マッサージ機能を促し、例えば、非平衡な重りに結合された電動モータの回転により、物理的なシートが振動する。
【００２９】
本発明によれば、制御インターフェイス１００は、制御インターフェイスを通して乗客シートの形態を表示すると共に、制御インターフェイスによるシートの正確な調整及びシート位置の正確な表示を確実にする校正方法に従って構成される。乗客シートの形態を表示することに関して、シートイメージ２００は、物理的なシート１０が調整されると段階的に更新される。これにより、制御インターフェイス１０による複雑なモデリング及びコンピューティングの必要性を回避する。所定の調整可能なシート部位に対して、物理的移動の全体範囲が複数のサブレンジに分割され、特定のサブレンジ内の全ての物理的位置が１つの表示イメージによって視覚的に表される。
【００３０】
一例において、シートバック１４は、そのＴＴＬ位置における、水平位置の上８０度から、完全なリクライニング位置における０度（水平位置）へと調整可能である。当該例において、シートバック１４の８０度の移動範囲が２０度の４つの範囲に分割され、シートバックイメージ２１４は、シートバック１４が調整されると４つの対応するイメージの１つとして表れるように更新される。シートバック１４が６０度から８０度の間の任意の位置をとるときに、シートバックイメージは８０度のＴＴＬ位置で表される。シートバック１４が水平位置より４０度から６０度の間の任意の位置をとるときに、シートバックイメージ２１４は、水平位置より約５０度リクライニングして表される。同様に、シートバック１４が水平位置より２０度から４０度の間の任意の位置をとるときに、シートバックイメージ２１４は、水平位置より約３０度リクライニングして表される。シートバック１４が水平位置より０度から２０度の間の任意の位置をとるときに、シートバックイメージ２１４は、基本的にフラットとして表される。この例では、シートボトム１６及びレッグレスト２２の移動範囲は、同様に４つのサブレンジに分割されるとともに、対応するシートボトムイメージ２１６及びレッグレストイメージ２２２がタッチスクリーン１０２上の４つの各位置の１つにそれぞれ表される。
【００３１】
シート１０の調整を正確に規制すると共にタッチスクリーン１０２上にシートを表示するように制御インターフェイス１００を校正することにおいて、本発明は、タッチスクリーン１０２上のイメージ位置にアクチュエータのデータレポートを関連付けるための方法を提供する。物理的なシート１０は、１以上のアクチュエータにより付加される力によって調整される。一例では、シート１０の全ての調整可能な部位は、１つのアクチュエータ又はモータの力の下で、ＴＴＬ位置から完全にリクライニングした位置にシートを調整するとともに必要なときにＴＴＬ位置に復帰させる相互接続した連結部に従って連動して移動する。別例では、シート１０の各調整可能な部位が専用のアクチュエータの力の下で移動する。校正方法の以下の説明は、上記２つの例の後者を明確に対象とするが、様々な数のアクチュエータを有する物理的なシートの多くの種類についても同様に関連する。
【００３２】
この例では、シート１０の各調整可能な部位が専用アクチュエータの力の下で移動する。特には、シートバック１４は、線形アクチュエータによる延出及び引き込みの１つのストローク（工程）によって、そのＴＴＬ位置から完全にリクライニングした位置に調整する。レッグレスト２２２のようなシートの他の部位の調整は、他の専用アクチュエータによって同様に達成される。これらの説明は、シートバック１４の調整の校正を明確に対象としているが、当然、シートの他の部位及びそれらの専用アクチュエータに関連する。
【００３３】
シートバック１４の位置を強制的に調整する線形アクチュエータは、８０から１００ミリ秒（ｍｓ）ごとに位置表示値を表すデータ信号を電気的に提供する。データ信号は、線形アクチュエータの特定の位置を独自的に表し、これによりシートバック１４の特定の位置をも表す無名数（ｕｎｉｔｌｅｓｓ  ｎｕｍｂｅｒ）を伝達する。しかしながら、小さなばらつきが全ての設置作業において予想されるため、制御インターフェイス１００が設置されるときに、２つの物理的なシート１０間及び２つの線形アクチュエータ間で相違が生じ易い。例えば、１つの線形アクチュエータの完全なストロークレンジ（範囲）を表す無名数がレンジ０〜１３，０００を有し、別のアクチュエータの無名数がレンジ２５０〜１１，０００を有するかもしれない。したがって、最終的なシートアセンブリ及び制御インターフェイス１００の設置の前に遡る所定の校正によって、所定の線形アクチュエータのデータ信号により伝達された無名数は、独自の物理的なシート位置を正確に表し難い。
【００３４】
制御インターフェイス１００は、本発明の少なくとも１つの実施形態に従って、適応的に校正されるように構成されている。制御インターフェイス１００は、シートバック１４の位置を調整する線形アクチュエータ、及び、他のシート位置を調整する他の所定の線形アクチュエータと電気通信状態にある。制御インターフェイス１００は、シートバック線形アクチュエータによって報告された無名数の上限及び下限を適応的に決定する。制御インターフェイス１００が設置されるとき、又は、再校正が実施されるときはいつでも、制御インターフェイス１００は、メモリ又は記憶装置に保存された下限及び上限の両方として、第１に報告された無名数を割り当てる。
【００３５】
そして、校正技術者又は設置技術者のような使用者がシートバックを様々な位置に調整し、線形アクチュエータがシートの位置に対応する様々な無名数を報告すると、新しい下限及び上限が規定される。この例では、線形アクチュエータからのより低い無名数がシートのリクライニングした位置に対応し、且つ、より高い無名数がシートのより直立した位置に対応する。したがって、シートバックがそのリクライニングした位置に向かって低くなると、アクチュエータがより低い無名数を次第に報告し、保存された下限は次第に低くなる。シートバック１４が最下位置に到達するときに、保存された下限は完全にリクライニングした位置に対応する最低値をとる。保存された上限値も同様にシートバック１４がそのＴＴＬ位置に到達するときに最高値をとる。物理的なシートバック１４の完全にリクライニングした位置及びＴＴＬ位置にそれぞれ対応するように、制御変数の下限及び上限が規定されると、制御インターフェイス１００は、シートバック１４の調整を規制するように正確に校正される。
【００３６】
制御インターフェイス１００の正確な校正は、イメージシート２００による物理的なシート１０の正確な描写を容易にする。利便性の高い段階的な視覚的（画像）描写のために、所定のシート部位の物理的な移動の全体範囲が多数のサブレンジに分割され、制御インターフェイス１００により保存された下限及び上限の範囲は、同数のサブレンジに分割される。線形アクチュエータが、シートバック１４が完全にリクライニングしたときに１００の無名数を報告し、且つ、シートバック１４がそのＴＴＬ位置に到達するときに１２，５００の無名数を報告する一例では、制御インターフェイス１００で保存された下限が１００として規定され、保存された上限が１２，５００として規定され、並びに、その間の範囲が１２，４００として規定される。
【００３７】
シートバック１４の移動範囲８０度が４つの範囲に分割され、シートバックイメージ２１４が４つの対応するイメージの１つとして更新される例では続いて、保存された下限及び保存された上限の間の範囲１２，４００が、線形アクチュエータからくる報告を分類するための４つのサブレンジに分割される。この例における各サブレンジは、３１００の無名数幅を有する。シートバック１４が、水平位置から水平位置の上２０度までの間の任意の位置をとるとき、線形アクチュエータは１００から３２００の間の無名数を報告し、シートバックイメージ２１４は基本的にフラットとして表される。シートバック１４が水平位置の上２０度から４０度の間の位置をとるとき、線形アクチュエータは３２００から６３００の間の無名数を報告し、シートバックイメージ２１４は約３０度でリクライニングするよう表される。シートバック１４が水平位置の上４０度から６０度の間の位置をとるとき、線形アクチュエータは６３００から９４００の間の無名数を報告し、シートバックイメージ２１４は約５０度でリクライニングするよう表される。シートバック１４が水平位置の上６０度から８０度の間の位置をとるとき、線形アクチュエータは９４００から１２５００の間の無名数を報告し、シートバックイメージ２１４は約８０度でリクライニングするよう表される。
【００３８】
説明した適応的校正の構成によって、制御インターフェイス１００は、線形の交換可能ユニットとして働き、別の物に交換可能である。新しく設置された制御インターフェイス１００は、様々なアクチュエータ種で使用するために校正可能である。制御インターフェイス１００は、様々なシート種で使用可能である。適応的な校正の構成は、シート種及びシート内のアクチュエータ構成の広範囲の目録に亘って使用されるソフトウェアコードにより容易化されうる。
【００３９】
図７〜１０には、この工程が概略図で表されている。図７に示すとおり、シート１０はＴＴＬ位置にある。アクチュエータ１２０は、シートバック１４の位置を調整するように操作可能である。アクチュエータ１２０はシートバック１４の下部に表されているが、シート１０内の他の適切な場所に配置されてもよい。アクチュエータ１２０は、シートバック１４を制御するだけの専用のアクチュエータでありうる。又は、シート１０の複数の部位を制御してもよい。図７に示すとおり、アクチュエータ１２０は、制御インターフェイス１００に、ＴＴＬ形態に対応する無名数１３２を報告する。そして、表示シートバックイメージ２１４が制御インターフェイス１００上に表示されてＴＴＬ位置のシートを表す。図８に示すとおり、シート１０はＴＴＬから３０度リクライニングして表される。アクチュエータ１２０は、この位置に対応する無名数１３４を報告する。そして、表示シートバックイメージ２１４が制御インターフェイス１００上に表示されてＴＴＬ位置から３０度リクライニングしたシートを表す。図９に示すとおり、シート１０はＴＴＬから５０度リクライニングして表される。アクチュエータ１２０は、この位置に対応する無名数１３６を報告する。そして、表示シートバックイメージ２１４が制御インターフェイス１００上に表示されてＴＴＬ位置から５０度リクライニングしたシートを表す。図１０に示すとおり、シート１０はフラットに倒れた形態で表される。アクチュエータ１２０は、この位置に対応する無名数１３８を報告する。そして、表示シートバックイメージ２１４が制御インターフェイス１００上に表示されてフラットに横たわった位置にあるシートを表す。無名数１３２及び１３８は、上述した利便性の高い段階的な視覚的（画像）描写のための範囲を規定するように使用される。先に提供した例を使用して、図７における無名数１３２の出力は、第４サブレンジ（例えば、９４００から１２５００に及ぶ範囲）に含まれる。図８における無名数１３４の出力は、第３サブレンジ（例えば、６３００から９４００に及ぶ範囲）に含まれる。図９における無名数１３６の出力は、第２サブレンジ（例えば、３２００から６３００に及ぶ範囲）に含まれる。最後に、図１０における無名数１３８の出力は、第１サブレンジ（例えば、１００から３２００に及ぶ範囲）に含まれる。
【００４０】
制御インターフェイス１００は、乗客シート１０を調整し、同様に他の機能を制御することに使用可能である。例えば、ヘッドフォンボリューム及びコンテンツ選択のようなメディアコントロール、温度制御及び空調機器、並びに、客室乗務員及び他の乗客への通信が、制御インターフェイス１００を使用して、全て制御及び実施される。タッチスクリーン１０２は、１又は複数の記号（シンボル）を表示して、選択の際に乗客をガイドする。例えば、メニュー及びサブメニューが表示されうる。アイコン及び色の組み合わせの複数のスタイルを個人的に選択するために乗客に利用可能である。テキストがタッチスクリーン１０２に表示されたコンテンツの一部であるとき、選択のために複数の言語を利用可能である。
【００４１】
別個のシート位置を校正及び決定するための工程を表すフローチャートを図１１に表す。アクチュエータ１２０は位置表示値１３０を出力する。上述したように、１３８はＴＴＬ位置に関する値であり、１３２が完全にリクライニングした位置に関する値である。そして、これらの値１３２、１３８が制御インターフェイス１００に報告される。次に制御インターフェイス１００は、値１３２から１３８までの間の範囲を計算する。この範囲は、図１１において４つのサブレンジとして表され、１３１、１３３、１３５、１３７として示されている、適切な数のサブレンジに分割される。範囲１３１は、制御インターフェイス１００のプリセットボタン２２６として表されるＴＴＬ位置を包含する。範囲１３３は、制御インターフェイス１００のプリセットボタン２２８として表される３０度リクライニングした位置を包含する。範囲１３５は、制御インターフェイス１００のプリセットボタン２２９として表される５０度リクライニングした位置を包含する。範囲１３７は、制御インターフェイス１００のプリセットボタン２３０として表されるフラットに横たわった位置を包含する。乗客がプリセットボタン２２６、２２８、２２９、２３０のいずれかをタップすると、選択した別個のシート位置に乗客シート１０を移動させるように、制御インターフェイス１００がアクチュエータ１２０に信号を出力する。
【００４２】
シート１０の個別の位置調整の工程を表すフローチャートを図１２に示す。図１２に示すとおり、乗客シート１０のタッチ（接触）反応部は、前述した、シートバック２１４、シートボトム２１６、レッグレスト２２２及びヘッドレスト２２４として表される。各タッチ反応部は、対応する物理的なシート部位を調整するように調整可能である。このようにして、制御インターフェイス１００は、各タッチ反応部２１４、２１６、２２２及び２２４と通信状態にある。各タッチ反応部２１４、２１６、２２２及び２２４は、アクチュエータ１２０と独立して通信状態にあるか、あるいは、それらが全て１つのアクチュエータ１２０を共有する。アクチュエータ１２０は、物理的なシート部位１４、１６、２２又は２４の物理的な位置を反映するように更新される制御インターフェイスシートイメージ２００に信号を出力する。
【００４３】
制御インターフェイス１００を通して利用可能な記号及び機能は、装置の再プログラミングを通して再割り当て可能である。再プログラミングは、複数の乗客シートが存在する環境において無線又は有線を通して実施されるか、あるいは、シートごとの基準で実施される。
【００４４】
本発明の特定の実施形態が説明されたが、当該技術分野の当業者にとって、本発明の技術的範囲から外れることなく、様々な改変が実行可能であることは明らかである。したがって、本発明の好適な実施形態及び本発明を実施するための最良な形態に係る上述の説明は、限定の目的ではなく説明の目的としてのみ提供されている。
【図１】
0005438774.tif 000002
【図２】
0005438774.tif 000003
【図３】
0005438774.tif 000004
【図４】
0005438774.tif 000005
【図５】
0005438774.tif 000006
【図６】
0005438774.tif 000007
【図７】
0005438774.tif 000008
【図８】
0005438774.tif 000009
【図９】
0005438774.tif 000010
【図１０】
0005438774.tif 000011
【図１１】
0005438774.tif 000012
【図１２】
0005438774.tif 000013